(57)【要約】  シェービング実演方法は、カッティングエッジを備える少なくとも１つの刃を有するシェービング表面を備える第１のシェービングカミソリを提供する工程を有する。透明な第１の表面が提供される。第１のシェービングカミソリのシェービング表面は、透明な第１の表面に接触する。別の工程は、透明な第１の表面に接している第１のシェービングカミソリのシェービング表面を、第１の表面の反対側の、透明な第２の表面越しに示す工程を含む。第１のシェービングカミソリは、透明な第１の表面に沿って移動させる。
2016536046.tif 000002
【特許請求の範囲】
【請求項１】
少なくとも１つの刃（１８）を備えるシェービング表面（１６）を有する第１のシェービングカミソリ（１０）を提供する工程と、
透明な第１の表面（４２ａ、４２ｂ）を提供する工程と、
該第１のシェービングカミソリの該シェービング表面を該透明な第１の表面に接触させる工程と、
該透明な第１の表面に接している該第１のシェービングカミソリの該シェービング表面を、該透明な第１の表面の反対側の、透明な第２の表面（４６ａ、４６ｂ）越しに示す工程と、
該透明な第１の表面に沿って、該第１のシェービングカミソリを移動させて、消費者利益を示す工程と、を含む、シェービング実演方法。
【請求項２】
前記第１及び第２の表面の少なくとも一方は、着色されている、請求項１に記載のシェービング実演方法。
【請求項３】
前記第１及び第２の表面の少なくとも一方は、格子（４４ａ、４４ｂ）を含む、請求項１又は２に記載のシェービング実演方法。
【請求項４】
前記消費者利益は、潤滑性である、請求項１〜３のいずれか一項に記載のシェービング実演方法。
【請求項５】
前記第１及び第２の表面の少なくとも一方は、ガラス又はプラスチックを含む、請求項１〜４のいずれか一項に記載のシェービング実演方法。
【請求項６】
前記透明な第２の表面及び前記透明な第１の表面の少なくとも一方は、毛を含む、請求項１〜５のいずれか一項に記載のシェービング実演方法。
【請求項７】
前記第１のシェービングカミソリ及び前記第１の透明な表面は、前記第１のシェービングカミソリの前記シェービング表面と、前記透明な第２の表面のイメージとが両方共見えるようになるまで共に回転する、請求項１〜６のいずれか一項に記載のシェービング実演方法。
【請求項８】
前記第１のシェービングカミソリの第１の構成要素から、前記少なくとも１つの刃の前方に、かつ前記透明な第１の表面上に、第１の物質を放出する工程を更に含む、請求項１〜７のいずれか一項に記載のシェービング実演方法。
【請求項９】
前記第１の物質は、液体のイメージである、請求項８に記載のシェービング実演方法。
【請求項１０】
前記第１の物質は、液体である、請求項８に記載のシェービング実演方法。
【請求項１１】
前記少なくとも１つの刃の後方の、前記第１のシェービングカミソリの第２の構成要素から、前記透明な第２の表面上に第２の物質を放出する工程を更に含む、請求項８に記載のシェービング実演方法。
【請求項１２】
前記第２の物質は、液体である、請求項１１に記載のシェービング実演方法。
【請求項１３】
前記第２の物質は、液体のイメージである、請求項１１に記載のシェービング実演方法。
【請求項１４】
前記第１の物質は、前記少なくとも１つの刃を覆う、請求項８〜１４のいずれか一項に記載のシェービング実演方法。
【請求項１５】
少なくとも１つの刃（３８）を備えるシェービング表面（３６）を有する第２のシェービングカミソリ（３０）を提供する工程と、前記第１の透明な表面に該第２のシェービングカミソリの該シェービング表面を接触させる工程と、
前記第１の透明な表面に接している前記第１のシェービングカミソリの前記シェービング表面及び該第２のシェービングカミソリの該シェービング表面を、前記第１の透明な表面の反対側の、前記透明な第２の表面越しに示す工程と、
前記第１のシェービングカミソリ及び該第２のシェービングカミソリを前記第１の透明な表面に沿って移動させる工程と、を更に含む、請求項１〜１４のいずれか一項に記載のシェービング実演方法。
【発明の詳細な説明】
【技術分野】
【０００１】
本発明は、概して、カミソリの異なる利益を示すための実演装置及び方法に関し、より具体的には、シェービングカミソリの潤滑性能及び／若しくは保湿性能並びに／又はその他の性能の違いを示すための装置及び方法に関する。
【背景技術】
【０００２】
使い捨てのシステムシェービングカミソリ（すなわち、取り替え可能なカミソリカートリッジを有するカミソリハンドル）の消費者は、改善された製品性能を要求し続けている。結果として、カミソリ製造業者は、消費者によって所望される様々なシェービングカミソリ性能属性を改善することを絶えず試みている。しかしながら、より良好なシェービングカミソリが設計及び製造されたとしても、カミソリ製造会社、広告主、及び小売業者は、特定のシェービングカミソリ製品が、他のシェービングカミソリ製品と比較して、改善された性能又はより効果的な性能、例えば、接近性、より少ない剃り残し、若しくは快適さ、増大した滑り（すなわち、潤滑性）、保湿性、又はその他の利益を実演することを、特に、有意義な、明確かつ可視的な方法で消費者に伝える際に困難に直面する。
【発明の概要】
【発明が解決しようとする課題】
【０００３】
したがって、ある特定のシェービングカミソリを使用する特定の利点を消費者に実演するための装置及び／又は方法の必要性が存在する。シェービングカミソリ（増加した潤滑性若しくは保湿性並びに／又は刃の前方で潤滑性及び／若しくは保湿性を放出する構成要素等）の性能の違いを実演し、かつこれらの違いを消費者に明確に伝えるための方法の必要性も存在する。
【課題を解決するための手段】
【０００４】
一態様では、本発明は、概して、ある特定のシェービングカミソリを使用する特定の利点を消費者に伝えるための単純で、効率的なシェービング実演方法を特徴とする。シェービング実演方法は、カッティングエッジを有する少なくとも１つの刃を備えるシェービング表面を有する第１のシェービングカミソリを提供することを含んでもよい。透明な第１の表面は、第１のシェービングカミソリのシェービング表面によって提供及び接触されてもよい。シェービング実演方法は、透明な第１の表面に接している第１のシェービングカミソリのシェービング表面を、第１の表面の反対側の、透明な第２の表面越しに示す工程を含んでもよい。更に、透明な第１の表面に沿ってカミソリを移動させる工程が含まれていてもよく、消費者利益を示す。
【０００５】
所望される場合、特定の実施形態は、第１のシェービングカミソリの第１の構成要素から、少なくとも１つの刃の前方に、かつ透明な第１の表面上に、第１の物質を放出することを任意で含んでもよい。シェービング実演方法は、少なくとも１つの刃を覆う第１の物質を任意で含んでもよい。特定の実施形態は、少なくとも１つの刃の後方の第１のシェービングカミソリの第２の構成要素から、透明な第２の表面上に第２の物質を放出することを任意で更に含んでもよい。第１及び／又は第２の物質は、液体若しくは液体のイメージであってもよい。第１並びに第２の表面の少なくとも一方は、着色されていてもよく及び／又は格子であってもよい。特定の実施形態は、第１及び第２の表面の少なくとも一方を任意で更に含んでもよく、これらはガラス又はプラスチックである。
【０００６】
他の態様において、本発明は、概して、異なるカミソリと比較した特定のシェービングカミソリを使用する特定の利点を消費者に伝えるための単純で、効率的なシェービング実演方法を特徴とする。シェービング実演方法は、少なくとも１つの刃を備えるシェービング表面を有する第１のシェービングカミソリを提供することと、少なくとも１つの刃を備えるシェービング表面を有する第２のシェービングカミソリを提供することと、を含んでもよい。透明な第１の表面は、透明な第１の表面を、第１のシェービングカミソリのシェービング表面及び第２のシェービングカミソリのシェービング表面に接触させる工程のために提供されてもよい。第１の表面に接している第１のシェービングカミソリのシェービング表面及び第２のシェービングカミソリのシェービング表面は、第１の表面の反対側の、透明な第２の表面越しに示されてもよい。第１のシェービングカミソリ及び第２のシェービングカミソリは、透明な第１の表面に沿って移動させてもよい。
【０００７】
所望される場合、特定の実施形態は、第１のシェービングカミソリの少なくとも１つの刃の前方に、かつ透明な第１の表面上に、第１の物質を放出する第１のシェービングカミソリの第１の構成要素を任意で含んでもよい。特定の実施形態は、透明な第１の表面上に第２の物質を放出する第１のシェービングカミソリの第２の構成要素を任意で更に含んでもよい。特定の実施形態において、シェービング実演方法は、少なくとも１つの刃を覆う第１の物質を示し得る。
【０００８】
本発明の１つ以上の実施形態の詳細は、添付の図面及び下記の説明で述べられる。ある特定の実施形態は、特に明記しない限り、一般的に開示されるが、組み合わせて明示的に例証又は要求されない本発明の要素又は構成部品を組み合わせることができることが理解される。本発明の他の特徴及び利点は、説明及び図面、並びに特許請求の範囲から明らかになるだろう。
【図面の簡単な説明】
【０００９】
【図１Ａ】第１のシェービングカミソリの斜視正面図である。
【図１Ｂ】第２のシェービングカミソリの斜視正面図である。
【図２Ａ】第１のシェービングカミソリの斜視背面図である。
【図２Ｂ】第２のシェービングカミソリの斜視背面図である。
【図３Ａ】第１のシェービングカミソリの斜視側面図である。
【図３Ｂ】第２のシェービングカミソリの斜視側面図である。
【図４Ａ】第１のシェービングカミソリの斜視正面側面図である。
【図４Ｂ】第２のシェービングカミソリの斜視正面側面図である。
【図５Ａ】第１の位置にある第１のシェービングカミソリの正面図である。
【図５Ｂ】第１の位置にある第２のシェービングカミソリの正面図である。
【図６Ａ】第２の位置にある第１のシェービングカミソリの正面図である。
【図６Ｂ】第２の位置にある第２のシェービングカミソリの正面図である。
【図７】シェービングカミソリの性能を消費者に実演するための方法の一例の図式表現である。
【図８】シェービングカミソリの性能を消費者に実演するための方法の別の可能な例の図式表現である。
【発明を実施するための形態】
【００１０】
図１Ａ及び１Ｂを参照すると、第１のシェービングカミソリ１０及び第２のシェービングカミソリ３０の斜視図がそれぞれ示されている。第１のシェービングカミソリ１０は、刃カートリッジユニット１４を有するハンドル１２を含んでもよい。刃カートリッジユニット１４は、ハンドル１２の端部に装着され得る。刃カートリッジユニット１４は、剃毛するための、少なくとも１つの刃１８を備えるシェービング表面１６と、液体を皮膚へ送達するための、少なくとも１つの刃１８の前方に位置した第１の潤滑構成要素２０と、を有してもよい。例えば、液体は、シェービング行程中に少なくとも１つの刃１８を覆うか、又はその上に堆積されてもよい。第１のシェービングカミソリ１０のシェービング表面１６は、皮膚に液体を送達するために、少なくとも１つの刃１８の後方に位置した第２の構成要素２２を更に有してもよい。第１の構成要素２０及び第２の構成要素２２の構造は、同じ又は異なっていてもよい。特定の実施形態において、第１の潤滑構成要素２０及び／又は第２の潤滑構成要素２２は、成形された若しくは押出された潤滑バー、ゲルリザーバー及び／又は液体分注部材であってもよい。液体は、消費者に１つ又は２つ以上の皮膚利益をもたらしてもよく、これには、保湿、シェービング中の低刺激、冷却、熱、抗アクネ、又は日焼け防止等がある。第１の構成要素２０の液体及び第２の構成要素２２の液体は、同じ又は異なっていてもよい。刃１８は、任意の種類の切断部材であってもよいことが理解される。例えば、刃１８には、電気カミソリ又はトリマーの切断部材が挙げられる。
【００１１】
第２のシェービングカミソリ３０は、刃カートリッジユニット３４を有するハンドル３２を含んでもよい。刃カートリッジユニット３４は、ハンドル３２の端部に装着され得る。刃カートリッジユニット３４は、剃毛するために、少なくとも１つの刃３８を備えるシェービング表面３６と、皮膚に物質（例えば、液体）を送達するために、少なくとも１つの刃３８の後方に位置した第１の潤滑構成要素４０と、を有してもよい。第１のシェービングカミソリ１０の第１の構成要素２０及び第２のシェービングカミソリ３０の第１の構成要素４０の構造は、同じ又は異なっていてもよい。特定の実施形態において、第１の潤滑構成要素４０は、成形された若しくは押出された潤滑バー、ゲルリザーバー及び／又は液体分注部材であってもよい。第１のシェービングカミソリ１０の第１の構成要素２０によって送達された物質及び第２のシェービングカミソリ３０の第１の潤滑構成要素４０によって送達された物質は、同じ又は異なっていてもよい。
【００１２】
図２Ａ及び２Ｂを参照すると、第１のシェービングカミソリ１０及び第２のシェービングカミソリ３０の斜視背面図が示されている。第１のシェービングカミソリ１０は、透明な第１の表面４２ａに接触してもよく、及び第２のシェービングカミソリ３０は、透明な第１の表面４２ｂに接触してもよい。透明なシェービング表面４２ａ及び４２ｂは、特定の実演方法によって、別々の表面又は同じ表面として示されてもよいことが理解される。例えば、透明なシェービング表面４２ａ及び４２ｂは、第１のシェービングカミソリ１０及び第２のシェービングカミソリ３０の対照比較のために同じ表面であってもよい。透明な第１の表面４２ａ、４２ｂは、剃毛される皮膚の表面（すなわち、実演表面）を表す。透明な第１の表面４２ａ、４２ｂは、ガラス、プラスチック又は任意のその他の透明な物質を含んでもよい。透明な第１の表面４２ａ、４２ｂは、更に着色されていてもよい。特定の実施形態において、透明な第１の表面４２ａ、４２ｂは、格子４４ａ、４４ｂを含んでもよい。格子４４ａ、４４ｂは、消費者が、透明な第１の表面４２に接している第１のシェービングカミソリ１０及び第２のシェービングカミソリ３０の動きに追従しやすくすることを可能にし得る。格子４４ａ、４４ｂは、四角形として図示されているが、任意の幾何学が格子のために用いられてもよく、第１のシェービングカミソリ１０及び第２のシェービングカミソリ３０の空間における表面及び相対位置を示す。実演方法の全て又は一部は、デジタル的に作成又はアニメ化されてもよいことが理解される。例えば、格子４４ａ、４４ｂは、ガラスの平面の一部であってもよく、又はデジタル的に作成されてもよい。透明な第１の表面４２ａ、４２ｂは、皮膚の表面を模倣するために毛を任意で含んでもよい。毛は、透明な第１の表面４２ａ、４２ｂに物理的に付着しているか、又は透明の第１の表面４２ａ、４２ｂにデジタル的に追加されてもよい。
【００１３】
典型的なシェービング実演は、皮膚（自然又は人工）が透明でないため、シェービング行程中にカミソリのシェービング表面を示すことができない。消費者は、前のイメージ（例えば、皮膚上の毛）及び後のイメージ（皮膚から除去された毛）を見ることはできるが、シェービング行程中のイメージは見ることができない。例えば、かかるシェービング実演は、男性のシェービングを示すが、カミソリのシェービング表面が皮膚に対して押圧されているため、刃及びその他の構成要素を隠している。図２Ａ及び２Ｂに示されるように、シェービング表面１６及び３６は、隠れて見えない。したがって、以前の実演方法は、刃のうちの１つの後方にある皮膚上に物質を放出するが、刃の正面には放出しない、構成要素（潤滑バー又はゲルリザーバー等）のみを実演することができた。したがって、消費者は、シェービングカミソリの多様な構成要素がどのように動作するのか、又はこれらがもたらす利益を明確に理解していない場合がある。
【００１４】
図３Ａ及び３Ｂを参照すると、第１のシェービングカミソリ１０及び第２のシェービングカミソリ３０の斜視側面図が、それぞれ透明な第１の表面４２ａ、４２ｂに接した状態で図示されている。透明な第１の表面４２ａ、４２ｂと従動回転する第１のシェービングカミソリ１０及び第２のシェービングカミソリ３０が図示され、消費者を、図２Ａ及び２Ｂに示す第１のシェービングカミソリ１０及び第２のシェービングカミソリ３０の背面図から、図３Ａ及び３Ｂの第１のシェービングカミソリ１０及び第２のシェービングカミソリ３０の左側面図へと誘導する。図３Ａ及び３Ｂに示されるように、シェービング表面１６及び３６は、依然隠れて見えない。第１のシェービングカミソリ１０及び第２のシェービングカミソリ３０は、図４Ａ及び４Ｂに示すように、それぞれの透明な第１の表面４２ａ、４２ｂと従動回転し続けてもよい。図４Ａ及び４Ｂは、第１のシェービングカミソリ１０及び第２のシェービングカミソリ３０が、それぞれ透明な第１の表面４２ａ、４２ｂに接した状態にある、斜視正面側部図である。図４Ａ及び４Ｂにおいて、第１のシェービングカミソリ１０のシェービング表面１６並びに第２のシェービングカミソリ３０のシェービング表面３６は、それぞれの透明な第１の表面４２ａ、４２ｂの反対側の（例えば、１８０度）第２の透明な表面４６ａ、４６ｂ越しに見ることができる。透明な第１の表面４２ａ、４２ｂ及び透明な第２の表面４６ａ、４６ｂは、消費者が、第１のシェービングカミソリ１０のシェービング表面１６並びに第２のシェービングカミソリ３０のシェービング表面３６を見ることを可能にする。例えば、図４Ａ及び４Ｂにおいて、第１のシェービングカミソリ１０の少なくとも１つの刃１８及び第２のシェービングカミソリ３０の少なくとも１つの刃３８は、見えるようになる。第１のシェービングカミソリ１０の第１の構成要素２０及び第２の構成要素２２並びに第２のシェービングカミソリ３０の第１の構成要素４０も、図４Ａ及び４Ｂにおいて見えるようになる。図５Ａ及び５Ｂに図示されるように、このローテーションは、第１のシェービングカミソリのシェービング表面の全て及び第２のシェービングカミソリのシェービング表面の全てが見えるようになるまで継続されてもよい。
【００１５】
図５Ａ並びに５Ｂは、透明な第１の表面４０に接している第１のシェービングカミソリ１０及び第２のシェービングカミソリ３０の正面図が、それぞれの透明な第２の表面４６ａ、４６ｂ越しに示されるまで、透明な第１の表面４２ａ、４２ｂと従動回転し続ける、第１のシェービングカミソリ１０と、第２のシェービングカミソリ３０と、を（それぞれ）図示する。特定の実施形態において、それぞれの透明な第１の表面４２ａ、４２ｂに沿った第１のシェービングカミソリ１０及び第２のシェービングカミソリ３０は、合計で約２０度〜約２００度回転させながら示されてもよい。例えば、図２Ａ及び２Ｂは、最初の１５〜４０度回転した視野へ回転された第１のシェービングカミソリ１０と第２のシェービングカミソリ３０とを図示してもよく、図３Ａ及び３Ｂは、更に４０〜７０度回転されていてもよく、図４Ａ及び４Ｂは、更に２０〜４０度回転されていてもよく、並びに図５Ａ及び５Ｂは、更に５０〜７０度回転されていてもよい。
【００１６】
図５Ａ及び５Ｂにおいて、シェービングカミソリ１０及びシェービングカミソリ３０は、透明な第１の表面４２ａ、４２ｂに接している第１の位置に示される。格子４４ａ、４４ｂは、それぞれの透明な第１の表面４２ａ、４２ｂに接している、第１のシェービングカミソリ１０及び第２のシェービングカミソリ３０の位置を示すことを容易にすることができる。図６Ａ及び６Ｂに示されるように、第１のシェービングカミソリ１０及び／又は第２のシェービングカミソリ３０は、透明な第１の表面４２ａ、４２ｂに対して移動させてもよく、潤滑性又は保湿性のような消費者利益を示す。第１のシェービングカミソリ１０が、透明な第１の表面４２ａに対して移動させる（例えば、図５Ａの矢印の方向に降下する）ので、第１のシェービングカミソリ１０の第１の構成要素２０は、第１の物質５０を透明な第１の表面４２ａに対して放出してもよく、かつ第１のシェービングカミソリ１０の第２の構成要素２２は、第２の５２物質を透明な第１の表面４２ａに対して放出してもよい。同様に、第２のシェービングカミソリ３０の第１の構成要素４０は、物質５４を透明な第１の表面４２ｂに対して放出してもよい。したがって、第１のシェービングカミソリ１０の第１の構成要素２０、第１のシェービングカミソリ１０の第２の構成要素２２、並びに第２のシェービングカミソリ３０の第１の構成要素４０が、第２の透明な表面４６ａ、４６ｂ（それぞれ）越しに見たときに、それぞれの透明な第１の表面４２ａ、４２ｂに対して、それぞれの物質５０、５２、及び５４を放出しているところが示されている。特定の実施形態において、第１のシェービングカミソリ１０の第１の構成要素２０によって放出された第１の物質５０は、少なくとも１つの刃１８に堆積されても（例えば、被覆しても）よい。潤滑材又は保湿剤（例えば、オイル若しくはポリオックス）のような第１の物質５０の、少なくとも１つの刃１８上への堆積物は、切り傷によって引き起こされるシェービング刺激の低減に役立たせることができ、又はその他の利益をもたらしてもよい。物質５０、５２、及び５４は、同じ又は異なっていてもよく、かつ同様又は異なる利益を有していてもよい。特定の実施形態において、物質５０及び５２（並びに／又は構成要素２０及び２２）は、同じ色又は異なる色で表されてもよい。例えば、物質５０は黄色であってもよく、物質５２は青色であってもよい。したがって、第２の構成要素２２の後方の色は、緑色（例えば、物質５０及び５２の色の組み合わせの結果）であってもよい。
【００１７】
第１のシェービングカミソリ１０の第１の構成要素２０及び／又は第２の構成要素２２は、放出された任意の物質と同様に、デジタル的に（例えば、アニメを使用して）生成されてもよいことが理解される。非限定的な例は、第１のシェービングカミソリ１０の、液体のイメージ若しくは液体の通路である、第１の構成要素２０及び第２の構成要素２２によって放出された物質を持つシェービング実演方法を含んでもよい。デジタルアニメは、追加の光又は光沢を、放出された任意の物質に追加する等の、特殊効果が追加されることを可能にすることができる。特定の実施形態において、第１のシェービングカミソリ１０及び第２のシェービングカミソリ３０は、黒色及び白色であってもよいが、第１のシェービングカミソリ１０の第１の構成要素２０及び第２の構成要素２２並びに第２のシェービングカミソリの第１の構成要素は、色付けされてもよく、消費者への利益をより強調する。例えば、第１の構成要素、第２の構成要素は、青色で示されてもよい。少なくとも１つの刃も青色で示されてもよく、少なくとも１つの刃１８の上に堆積された物質を示す。
【００１８】
図７を参照すると、シェービング実演方法１００の可能な例の図式表現が図示されている。シェービング実演方法は、前述したように、シェービング表面１１６を備える第１のシェービングカミソリ１０のような、少なくとも１つの刃を備えるシェービング表面を有する第１のシェービングカミソリを提供する第１の工程１１０を含んでもよい。第２の工程１１２において、透明な第１の表面が、前述した透明な第１の表面４２ａのように、提供されてもよい。第３の工程１１４は、第１のシェービングカミソリ１０のシェービング表面を透明な第１の表面に接触させることを含んでもよい。第４の工程１１６において、透明な第１の表面に接している第１のシェービングカミソリのシェービング表面は、第１の表面の反対側の、透明な第２の表面越しに（例えば、ガラスの平面越しにシェービング表面を見て）示されてもよい。第１のシェービングカミソリを、透明な表面に沿って移動させ（工程１１８）、第１のシェービングカミソリの第１の構成要素からの第１の物質の放出（工程１２０）を、透明な表面４２ａ及び４６ａ越しに示してもよい。
【００１９】
シェービング実演方法１００は、単体のシェービングカミソリのシェービング性能を示す。しかし、２つの異なるカミソリを比較するシェービング実演方法を提供することがより望ましいことがあり得る。図８を参照すると、第２のシェービング実演方法１３０の図式表現が図示されている。第２のシェービング実演方法１３０は、前述したように、第１のシェービングカミソリ１１０のような、少なくとも１つの刃を備えるシェービング表面を有する第１のシェービングカミソリを提供する第１の工程１３２を含んでもよい。少なくとも１つの刃（前述した第１のシェービングカミソリ３０等）を備えるシェービング表面を有する第２のシェービングカミソリが、工程１３４で提供されてもよい。工程１３６において、透明な第１の表面が、前述した透明な第１の表面４２ａ、４２ｂのように、提供されてもよい。工程１３８は、透明な第１の表面を、第１のシェービングカミソリ１１０のシェービング表面と、第２のシェービングカミソリ３０のシェービング表面と、に接触させることを含んでもよい。工程１４０において、第１のシェービングカミソリのシェービング表面及び第２のシェービングカミソリ３０のシェービング表面は、第１の表面の反対側の、透明な第２の表面を越しに（例えば、ガラスの平面越しにシェービング表面を見て）、透明な第１の表面に接して示されてもよい。第１のシェービングカミソリと第２のシェービングカミソリを、透明な表面に沿って移動させ（工程１４２）、第１のシェービングカミソリの第１の構成要素からの第１の物質の放出を、透明な表面４２ａ、４２ｂ、及び４６ａ、４６ｂ越しに示してもよい（工程１４４）。特定の実施形態において、第２のシェービングカミソリは、第１のシェービングカミソリよりも、異なる構成要素から、若しくは異なる位置にある構成要素から、一切の物質を放出しなくてもよく、又は物質を放出してもよい。
【００２０】
シェービング実演方法１００及び第２のシェービング実演方法１３０の様々な工程が、生の実演、動画撮影、アニメ、イラスト、コンピュータシュミレーションされたモデル、又はそれらの任意の組み合わせを含んでもよいことが理解される。任意の工程は、任意の順番で実行してもよいことが、更に理解される。
【００２１】
本明細書で開示する寸法及び値は、列挙された正確な数値に厳密に限られるとして理解されるべきではない。むしろ、特に指定のない限り、それぞれのかかる寸法は、記載された値と、その値の周辺の機能的に同等の範囲との両方を意味することを意図する。例えば、「４０ｍｍ」と開示された寸法は、「約４０ｍｍ」を意味することを意図する。
【００２２】
すべての相互参照されるか又は関連する特許又は特許出願、及び本願が優先権又はその利益を主張する任意の特許出願又は特許を含む、本明細書において引用されるすべての文書は、特に除外すること又は別途限定することを明言しないかぎり、その全体が本明細書に組み込まれる。いずれの文献の引用も、その文献が本明細書において開示又は特許請求される任意の発明に対する先行技術であることを容認するものではなく、また、その文献が、単独で、又は任意の他の単数又は複数の参考文献との任意の組み合わせにおいて、任意のこうした発明を教示、示唆又は開示していることを容認するものでもない。更に、本文書における用語の任意の意味又は定義が、参照することによって組み込まれた文書内の同じ用語の意味又は定義と競合する程度に、本文書におけるその用語に与えられた意味又は定義が適用されるものとする。
【００２３】
本発明の特定の実施形態が例示されて説明されたが、本発明の趣旨及び範囲から逸脱することなく様々な他の変形及び変更が行われ得ることは当業者にとって明白であろう。したがって、本発明の範囲内に含まれるそのような全ての変更及び修正は、添付の特許請求の範囲にて網羅することを意図したものである。
【図１Ａ】
2016536046.tif 000003
【図１Ｂ】
2016536046.tif 000004
【図２Ａ】
2016536046.tif 000005
【図２Ｂ】
2016536046.tif 000006
【図３Ａ】
2016536046.tif 000007
【図３Ｂ】
2016536046.tif 000008
【図４Ａ】
2016536046.tif 000009
【図４Ｂ】
2016536046.tif 000010
【図５Ａ】
2016536046.tif 000011
【図５Ｂ】
2016536046.tif 000012
【図６Ａ】
2016536046.tif 000013
【図６Ｂ】
2016536046.tif 000014
【図７】
2016536046.tif 000015
【図８】
2016536046.tif 000016
【国際調査報告】
2016536046.tif 000017
2016536046.tif 000018